(57)【要約】【課題】占有空間が小さく、バランスが良く、デザイン的に新しい室内アンテナ装置を提供する。【解決手段】この室内アンテナ装置は、ＵＨＦアンテナ１とＶＨＦアンテナ３を備え、このＶＨＦアンテナ３は、複数のアンテナ片５に分割されたループアンテナと、複数のアンテナ片５の各間に対応して設けられ、対応する２つのアンテナ片５間に接続されたコイル６とを含む。したがって、ロッドアンテナを使用していた従来に比べ、占有空間が小さくて済み、バランスが良くなり、デザイン的に新しい印象を与えることができる。【選択図】図１
2009089317.tif 000002
【特許請求の範囲】
【請求項１】
ＵＨＦ放送を受信するためのＵＨＦアンテナと、
ＶＨＦ放送を受信するためのＶＨＦアンテナとを備え、
前記ＶＨＦアンテナは、
複数のアンテナ片に分割されたループアンテナと、
前記複数のアンテナ片の各間に対応して設けられ、対応する２つのアンテナ片間に接続されたコイルとを含む、室内アンテナ装置。
【請求項２】
各アンテナ片の長さは、前記ＵＨＦ放送の電波の４分の１波長よりも短く設定されている、請求項１に記載の室内アンテナ装置。
【請求項３】
前記コイルのインダクタンスは、前記ＶＨＦ放送の周波数の電流を流し、前記ＵＨＦ放送の周波数の電流を遮断するように設定されている、請求項１または請求項２に記載の室内アンテナ装置。
【請求項４】
前記アンテナ片の数は少なくとも８個である、請求項１から請求項３までのいずれかに記載の室内アンテナ装置。
【請求項５】
前記ＶＨＦアンテナは、前記ループアンテナおよび前記コイルを覆うリング状のカバーを含む、請求項１から請求項４までのいずれかに記載の室内アンテナ装置。
【請求項６】
前記ＶＨＦアンテナの内径は前記ＵＨＦアンテナの外径よりも大きく形成されており、
前記ＵＨＦアンテナを水平に支持する支持台と、
前記支持台と前記ＶＨＦアンテナの下端部との間に設けられ、前記ＶＨＦアンテナを前記ＵＨＦアンテナの一方側に垂直に保持する第１の状態と、前記ＶＨＦアンテナを倒して前記ＵＨＦアンテナの下方に収容する第２の状態とを有する保持機構とを備える、請求項１から請求項５までのいずれかに記載の室内アンテナ装置。
【請求項７】
前記ＵＨＦアンテナの指向性は制御可能になっている、請求項１から請求項６までのいずれかに記載の室内アンテナ装置。
【発明の詳細な説明】
【技術分野】
【０００１】
この発明は室内アンテナ装置に関し、特に、ＵＨＦ放送とＶＨＦ放送の受信が可能な室内アンテナ装置に関する。
【背景技術】
【０００２】
従来より、ＵＨＦ放送とＶＨＦ放送の受信が可能な室内アンテナ装置がある。従来の室内アンテナ装置では、ＶＨＦ放送を受信するアンテナとして伸縮および回動可能なロッドアンテナが使用されていた（たとえば、特許文献１参照）。
【特許文献１】特開２００６−９４４４３号公報
【発明の開示】
【発明が解決しようとする課題】
【０００３】
しかし、従来の室内アンテナでは、ロッドアンテナを斜め上に伸長して使用する場合は、大きな占有空間が必要となり、その基端部に常に荷重が掛かり、重心位置が高くなり、バランスが悪くなるという問題があった（図１７参照）。また、デザイン的に古いイメージがあった。
【０００４】
それゆえに、この発明の主たる目的は、占有空間が小さく、バランスが良く、デザイン的に新しい室内アンテナ装置を提供することである。
【課題を解決するための手段】
【０００５】
この発明に係る室内アンテナ装置は、ＵＨＦ放送を受信するためのＵＨＦアンテナと、ＶＨＦ放送を受信するためのＶＨＦアンテナとを備えたものである。このＶＨＦアンテナは、複数のアンテナ片に分割されたループアンテナと、複数のアンテナ片の各間に対応して設けられ、対応する２つのアンテナ片間に接続されたコイルとを含む。
【０００６】
好ましくは、各アンテナ片の長さは、ＵＨＦ放送の電波の４分の１波長よりも短く設定されている。
【０００７】
また好ましくは、コイルのインダクタンスは、ＶＨＦ放送の周波数の電流を流し、ＵＨＦ放送の周波数の電流を遮断するように設定されている。
【０００８】
また好ましくは、アンテナ片の数は少なくとも８個である。
また好ましくは、ＶＨＦアンテナは、ループアンテナおよびコイルを覆うリング状のカバーを含む。
【０００９】
また好ましくは、ＶＨＦアンテナの内径はＵＨＦアンテナの外径よりも大きく形成されており、ＵＨＦアンテナを水平に支持する支持台と、支持台とＶＨＦアンテナの下端部との間に設けられ、ＶＨＦアンテナをＵＨＦアンテナの一方側に垂直に保持する第１の状態と、ＶＨＦアンテナを倒してＵＨＦアンテナの下方に収容する第２の状態とを有する保持機構とを備える。
【００１０】
また好ましくは、ＵＨＦアンテナの指向性は制御可能になっている。
【発明の効果】
【００１１】
この発明に係る室内アンテナ装置では、ＶＨＦアンテナは、複数のアンテナ片に分割されたループアンテナと、複数のアンテナ片の各間に対応して設けられ、対応する２つのアンテナ片間に接続されたコイルとを含む。したがって、コイルを用いて小型にしたループアンテナを使用するので、ロッドアンテナを使用していた従来に比べ、占有空間が小さくて済み、バランスが良くなり、デザイン的に新しい印象を与えることができる。
【発明を実施するための最良の形態】
【００１２】
[実施の形態１]
図１は、この発明の実施の形態１による室内アンテナ装置の構成を示す側面図であり、図２は室内アンテナ装置を正面（図１の右側方向）から見た一部省略した図である。図１および図２において、この室内アンテナ装置は、ＵＨＦ放送を受信するＵＨＦアンテナ１と、ＵＨＦアンテナ１を水平に支持する支持台２と、ＶＨＦ放送を受信するＶＨＦアンテナ３と、支持台２の下端部の側面とＶＨＦアンテナ３の下端部との間に設けられ、ＶＨＦアンテナ３を垂直に保持する第１の状態とＶＨＦアンテナ３を水平に保持する第２の状態とを有する保持機構４とを備える。
【００１３】
ＶＨＦアンテナ３を使用する場合は、ＶＨＦアンテナ３の受信感度が良好になるように、使用者はＵＨＦアンテナ１の奥側（図１の左側）にＶＨＦアンテナ３を垂直に立てる。
また、ＶＨＦアンテナ３を使用せずにＵＨＦアンテナ１のみを使用する場合は、ＶＨＦアンテナ３によってＵＨＦアンテナ１の受信感度が低下するのを抑制するため、図３に示すように、ＶＨＦアンテナ３を水平に倒してＵＨＦアンテナ１の下方に収容する。また、室内アンテナ装置を収納したり梱包する場合も、室内アンテナ装置の体積が小さくなるように、ＶＨＦアンテナ３を水平に倒してＵＨＦアンテナ１の下方に収容する。
【００１４】
図１に戻って、ＵＨＦアンテナ１の外径は２１４ｍｍに設定されている。ＶＨＦアンテナ３の外径は２４０ｍｍに設定され、その内径はＵＨＦアンテナ１の外径よりも大きく設定されている。また、ＶＨＦアンテナ３は、ＵＨＦアンテナ１の中心から後方（図１の左側方向）に９０ｍｍ離れた位置に立てられている。これにより、装置寸法の大型化を防止するとともに、ＶＨＦアンテナ３がＵＨＦアンテナ１に与える悪影響を抑制している。また、ＶＨＦアンテナ３を立てたり寝かしたりするときに、ＵＨＦアンテナ１がＶＨＦアンテナ３の邪魔になるのを防止している。
【００１５】
図４は、ＶＨＦアンテナ３の構成を示す図である。図４において、ＶＨＦアンテナ３は、８つのアンテナ片５と、７つのコイル６と、２つのコイル７を含む。アンテナ片５は、外径が９．５ｍｍで長さが８５ｍｍのアルミニューム製のパイプで形成されている。８つのアンテナ片５で１つの円が形成されるように、各アンテナ片５にはアールが付けられてりる。８つのアンテナ片５は、ループアンテナを構成している。
【００１６】
ここで、アンテナ片５の長さを８５ｍｍとしたのは、アンテナ片５の長さをＵＨＦ放送の電波の４分の１波長よりも短くすることにより、アンテナ片５がＵＨＦ放送の電波を受信するのを防止し、アンテナ片５がＵＨＦアンテナ１の受信感度に悪影響を与えるのを防止するためである。すなわち、この室内アンテナ装置が使用される米国では、ＵＨＦ放送の電波の周波数の上限値は８０６ＭＨｚであり、その電波の４分の１波長が９３ｍｍである。そこで、余裕を見て、８５０ＭＨｚの電波の４分の１波長である８８ｍｍよりも短い８５ｍｍにアンテナ片５の長さを設定した。
【００１７】
また、ＶＨＦ放送をループアンテナで受信するためには、ループアンテナのアンテナ長（周方向の長さ）をＶＨＦ放送の電波の１波長に相当する約１０００ｍｍにする必要があるが、それでは装置寸法が大型化してしまう。そこで、本願発明では、ＵＨＦアンテナ１の外径（２１４ｍｍ）と略等しい内径を有し、全長が６８０ｍｍ（＝８５ｍｍ×８）のループアンテナを８個のアンテナ片５に分割し、各アンテナ片５間にループアンテナのアンテナ長を電気的に伸ばすためのコイル６を接続した。コイル６は、たとえば、直径０．６ｍｍの金属線をコイル径が６ｍｍになるように６回巻き回したものである。
【００１８】
これにより、小型のループアンテナのアンテナ長を電気的に約１０００ｍｍにすることができ、ＶＨＦ放送を受信することができた。また、コイル６のインダクタンスは、ＶＨＦ放送の周波数の電流を流し、ＵＨＦ放送の周波数の電流を遮断するように設定されている。これにより、ＶＨＦアンテナ３によってＵＨＦ放送の電波が受信されるのを防止することができ、ＶＨＦアンテナ３がＵＨＦアンテナ１の受信感度に悪影響を与えるのを防止することができる。
【００１９】
なお、ＶＨＦアンテナ３の２つの給電点の各々には、インピーダンス整合を行なうためのコイル７が接続されている。コイル７は、たとえば、直径０．６ｍｍの金属線をコイル径が６ｍｍになるように４回巻き回したものである。
【００２０】
また、図５は、２つのアンテナ片５間にコイル６を接続する方法を示す断面図である。図５において、各アンテナ片５は、上述の通り、アルミニューム製のパイプで形成されている。各パイプの端部に外壁から内壁まで貫通する孔を開け、２つのパイプの孔にコイル６の２本の脚部をそれぞれ挿入し、各脚部と孔を半田８で固定する。これにより、コイル６により、２つのアンテナ片５を確実に接続することができる。なお、各アンテナ片５間をプラスチック製のコネクタで接続および固定してもよいし、ＶＨＦアンテナ３全体をリング状のプラスチック製カバーで覆ってもよい。
【００２１】
図６は、ＵＨＦアンテナ１の要部を示す平面図である。図６において、このアンテナ装置は、同一平面上において中心点の周りに等角度間隔で順次配置された４つのアンテナ素子１１〜１４を備える。アンテナ素子１１〜１４は、それぞれ給電点Ｐ１〜Ｐ４を有する。アンテナ素子１１と１３、およびアンテナ素子１２と１４は、それぞれダイポールアンテナを構成している。
【００２２】
アンテナ素子１１〜１４の各々は、ファン形（扇形）のダイポール素子１５と、導線部１６，１７とを含む。給電点Ｐ１〜Ｐ４は、それぞれアンテナ素子１１〜１４のダイポール素子１５の基端部（中心点側の部分）に設けられている。導線部１６，１７は、ダイポール素子１５の両側の２辺に沿って設けられる。導線部１６，１７の一方端は、ダイポール素子１５の先端部（中心点と反対側の部分）に接続されている。各導線部１６の他方端は、隣接するアンテナ素子の導線部１７の他方端に接続されるとともに、対向する導線部１６，１７に接続されている。導線部１６，１７を設けたことにより、アンテナ装置の特性の向上と小型化が図られている（たとえば特開２００６−１５７２０９号公報参照）。
【００２３】
アンテナ素子１１〜１４は、プリント基板上に形成され、プラスチック製のカバーで覆われている。アンテナ素子１１〜１４は水平に配置され、たとえばアンテナ素子１２の方向が主なＵＨＦテレビ放送局の方向に向けられる。中心点から見てアンテナ素子１２の方向を０度とする。ＵＨＦアンテナ１の指向性は、複数のＵＨＦテレビ放送局のうちの視聴者によって選択されたＵＨＦテレビ放送局の方向に制御される。
【００２４】
ＵＨＦアンテナ１の８字指向性を０度方向（前方）および１８０度方向（後方）に向ける場合は、アンテナ素子１１，１３によって受信した電波を給電点Ｐ１，Ｐ３を介してテレビ受信機に与える。０度方向から送信された電波は、アンテナ素子１１，１３で受信され、給電点Ｐ１，Ｐ３を介してテレビ受信機に与えられる。また、１８０度方向から送信された電波は、アンテナ素子１１，１３で受信され、給電点Ｐ１，Ｐ３を介してテレビ受信機に与えられる。したがって、ＵＨＦアンテナ１の指向性は、０度方向および１８０度方向で受信感度が最大になる８字指向性となる。
【００２５】
また、ＵＨＦアンテナ１の８字指向性を９０度方向（右横方向）および２７０度方向（左横方向）に向ける場合は、アンテナ素子１２，１４によって受信した電波を給電点Ｐ２，Ｐ４を介してテレビ受信機に与える。９０度方向から送信された電波は、アンテナ素子１２，１４で受信され、給電点Ｐ２，Ｐ４を介してテレビ受信機に与えられる。また、２７０度方向から送信された電波は、アンテナ素子１２，１４で受信され、給電点Ｐ２，Ｐ４を介してテレビ受信機に与えられる。したがって、ＵＨＦアンテナ１の指向性は、９０度方向および２７０度方向で受信感度が最大になる８字指向性となる。
【００２６】
また、ＵＨＦアンテナ１の８字指向性を４５度方向（右斜め前方向）および２２５度方向（左斜め後方向）に向ける場合は、アンテナ素子１１，１３によって受信した電波とアンテナ素子１２，１４によって受信した電波とを合成してテレビ受信機に与える。したがって、ＵＨＦアンテナ１の指向性は、４５度方向および２２５度方向で受信感度が最大になる８字指向性となる。
【００２７】
また、ＵＨＦアンテナ１の８字指向性を１３５度方向（右斜め後方向）および３１５度方向（左斜め前方向）に向ける場合は、アンテナ素子１１，１３によって受信した電波の位相を反転させた電波とアンテナ素子１２，１４によって受信した電波とを合成してテレビ受信機に与える。したがって、ＵＨＦアンテナ１の指向性は、１３５度方向および３１５度方向で受信感度が最大となる８字指向性となる。
【００２８】
図７は、この室内アンテナ装置に内蔵されているアンテナ制御回路２０の構成を示す回路ブロック図である。図７において、アンテナ制御回路２０は、信号入力端子Ｔ１〜Ｔ３、信号入出力端子Ｔ４、アンプ２１〜２３、スイッチ２４〜３０、終端抵抗素子３１，３２、位相反転器３３、合成器３４、高域フィルタ（ＨＰＦ）３５、帯域フィルタ（ＢＰＦ）３６、電源部３７、検波部３８、および制御部３９を含む。
【００２９】
信号入力端子Ｔ１には、図６のアンテナ素子１２，１４で受信した高周波信号（電波）Ｕ１が入力される。信号入力端子Ｔ２には、図６のアンテナ素子１１，１３で受信した高周波信号Ｕ２が入力される。信号入力端子Ｔ３には、図４のＶＨＦアンテナ３で受信した高周波信号Ｖ１が入力される。信号入出力端子Ｔ４は、ＣＥＡ９０９規格対応のＳＴＢ（Set Top Box）に接続される。
【００３０】
アンプ２１，２２は、それぞれ高周波信号Ｕ１，Ｕ２を増幅する。スイッチ２４は、アンプ２１によって増幅された高周波信号Ｕ１を通過させるか、アンプ２１の出力ノードを終端抵抗素子３１を介して接地させる。スイッチ２５，２６は、スイッチ２４を通過した高周波信号Ｕ１をそのまま通過させるか、位相反転器３３によって位相反転させて通過させる。スイッチ２７は、アンプ２２によって増幅された高周波信号Ｕ２を通過させるか、アンプ２２の出力ノードを終端抵抗素子３２を介して接地させる。
【００３１】
合成器３４は、高周波信号Ｕ１，Ｕ２を合成する。高域フィルタ３５は、合成器３４の出力信号Ｕ１２から不要な周波数成分を除去する。帯域フィルタ３６は、ＶＨＦアンテナ３で受信された高周波信号Ｖ１から余分な周波数成分を除去する。スイッチ２８は、高域フィルタ３５を通過した高周波信号Ｕ１２と帯域フィルタ３６を通過した高周波信号Ｖ１のうちのいずれか一方の高周波信号を選択する。スイッチ２９，３０は、スイッチ２８を通過した高周波信号Ｕ１２をそのまま通過させるか、スイッチ２８を通過した高周波信号Ｖ１をアンプ２３によって増幅させて通過させる。スイッチ３０を通過した高周波信号Ｕ１２またはＶ１は、信号入出力端子Ｔ４を介してＳＴＢに供給される。
【００３２】
ＳＴＢは、ＣＥＡ９０９規格に準拠したアンテナ制御信号をＡＳＫ変調し、その信号を直流電源電圧（１２Ｖ）に重畳して信号入出力端子Ｔ４に与える。電源部３７は、信号入出力端子Ｔ４を介して与えられた直流電源電圧をアンテナ制御回路２０全体に供給する。検波部３８は、信号入出力端子Ｔ４を介して与えられたアンテナ制御信号をＡ／Ｄ変換して制御部３９に与える。制御部３９は、検波部３８から与えられたアンテナ制御信号に従って、アンプ２１〜２３の各々のオン／オフ制御と、スイッチ２４〜３０の各々の切換制御を行なう。
【００３３】
アンテナ制御信号によってＵＨＦアンテナ１の指向性を０度方向および１８０度方向に制御することが指示された場合は、アンプ２１がオフされ、アンプ２１の出力ノードがスイッチ２４および終端抵抗素子３１を介して接地される。一方、アンプ２２はオンされ、高周波信号Ｕ２は、アンプ２２で増幅され、スイッチ２７、合成器３４、高域フィルタ３５、スイッチ２８〜３０、および信号入出力端子Ｔ４を介してＳＴＢに供給される。
【００３４】
アンテナ制御信号によってＵＨＦアンテナ１の指向性を９０度方向および２７０度方向に制御することが指示された場合は、アンプ２２がオフされ、アンプ２２の出力ノードがスイッチ２７および終端抵抗素子３２を介して接地される。一方、アンプ２１はオンされ、高周波信号Ｕ１は、アンプ２１で増幅され、スイッチ２４，２５、位相反転器３３、スイッチ２６、合成器３４、高域フィルタ３５、スイッチ２８〜３０、および信号入出力端子Ｔ４を介してＳＴＢに供給される。
【００３５】
アンテナ制御信号によってＵＨＦアンテナ１の指向性を４５度方向および２２５度方向に制御することが指示された場合は、アンプ２１，２２がオンされる。高周波信号Ｕ１は、アンプ２１で増幅され、スイッチ２４〜２６を介して合成器３４に供給される。高周波信号Ｕ２は、アンプ２２で増幅され、スイッチ２７を介して合成器３４に供給される。高周波信号Ｕ１，Ｕ２は合成器３４で合成される。合成器３４の出力信号Ｕ１２は、高域フィルタ３５、スイッチ２８〜３０、および信号入出力端子Ｔ４を介してＳＴＢに供給される。
【００３６】
アンテナ制御信号によってＵＨＦアンテナ１の指向性を１３５度方向および３１５度方向に制御することが指示された場合は、アンプ２１，２２がオンされる。高周波信号Ｕ１は、アンプ２１で増幅され、スイッチ２４，２５を通過し、位相反転器３３で位相反転され、スイッチ２６を通過して合成器３４に供給される。高周波信号Ｕ２は、アンプ２２で増幅され、スイッチ２７を介して合成器３４に供給される。高周波信号Ｕ１，Ｕ２は合成器３４で合成される。合成器３４の出力信号Ｕ１２は、高域フィルタ３５、スイッチ２８〜３０、および信号入出力端子Ｔ４を介してＳＴＢに供給される。
【００３７】
アンテナ制御信号によってＶＨＦアンテナ３を選択することが指示された場合は、アンプ２１，２２はオフされる。ＶＨＦアンテナ３で受信された高周波信号Ｖ１は、帯域フィルタ３６で余分な周波数成分を除去され、スイッチ２８，２９を通過し、アンプ２３で増幅され、スイッチ３０および信号入出力端子Ｔ４を介してＳＴＢに供給される。
【００３８】
図８は、図４に示したＶＨＦアンテナ３の利得の周波数特性を示す図である。図８に示すように、米国におけるＶＨＦ放送の周波数帯域である１７０〜２２２ＭＨｚの全域において、高い利得が得られた。また、図９に示すように、０度方向および１８０度方向で受信感度が最大になる８字指向性が得られた。なお、指向性の測定においては、図４の紙面に垂直な方向をＶＨＦアンテナ３の０度方向および１８０方向とし、１８５ＭＨｚの高周波信号を使用した。
【００３９】
また、図１０および図１１は、ＵＨＦアンテナ１の利得の周波数特性を示す図である。図１０は、ＶＨＦアンテナ３を除去してＵＨＦアンテナ１のみで測定したものであり、図１１は、図１で示したようにＶＨＦアンテナ３をセットした状態でＵＨＦアンテナ１の利得を測定したものである。図１０および図１１に示すように、ＶＨＦアンテナ３の有無による利得の変化は小さかった。いずれの場合においても、米国におけるＵＨＦ放送の周波数帯域である４７０〜８０６ＭＨｚの全域において、高い利得が得られた。
【００４０】
また、図１２および図１３は、ＵＨＦアンテナ１の指向性を示す図である。図１２は、ＶＨＦアンテナ３を除去してＵＨＦアンテナ１のみで測定したものであり、図１３は、図１で示したようにＶＨＦアンテナ３をセットした状態でＵＨＦアンテナ１の指向性を測定したものである。図１２および図１３に示すように、ＵＨＦアンテナ１は８字指向性を示し、ＶＨＦアンテナ３の有無による指向性の変化は小さかった。なお、指向性の測定においては、０度方向および１８０方向の８字指向性を測定し、５００ＭＨｚの高周波信号を使用した。
【００４１】
[比較例１]
実施の形態１では、図４で示したように、全長が６８０ｍｍ（＝８５ｍｍ×８）のループアンテナを８個のアンテナ片５に等分割し、各アンテナ片５間にループアンテナのアンテナ長を電気的に伸ばすためのコイル６を接続して、ＶＨＦアンテナ３を形成した。これに対して、この比較例１では、全長が７５０ｍｍ（＝１２５ｍｍ×６）のループアンテナを６つのアンテナ片に等分割し、各アンテナ片間にコイル６を接続して、ＶＨＦアンテナを形成した。
【００４２】
図１４は、比較例１のＶＨＦアンテナの利得の周波数特性を示す図であって、図８と対比される図である。図８および図１４から分かるように、比較例１のＶＨＦアンテナの方が実施の形態１のＶＨＦアンテナ３よりも利得が低かった。
【００４３】
また、図１５は、比較例１のＶＨＦアンテナをセットした状態で測定したＵＨＦアンテナ１の利得の周波数特性を示す図であって、図１１と対比される図である。図１１および図１５から分かるように、比較例１のＶＨＦアンテナをセットしたときの方がＵＨＦアンテナ１の利得の低下が大きかった。
【００４４】
また、図１６は、比較例１のＶＨＦアンテナ３をセットした状態で測定したＵＨＦアンテナ１の８字指向性を示す図であって、図１３と対比される図である。図１３および図１６から分かるように、比較例１のＶＨＦアンテナをセットしたときの方がＵＨＦアンテナ１の８字指向性の劣化が大きかった。以上より、この室内アンテナ装置では、ループアンテナを８つ以上に分割してアンテナ片の長さを８５ｍｍ以下にすることが好ましいと考えられる。
【００４５】
[比較例２]
図１７（ａ）は、実施の形態１の比較例２となる室内アンテナ装置の構成を示す平面図であり、図１７（ｂ）はその正面図である。図１７（ａ）（ｂ）において、この室内アンテナ装置は、ＵＨＦ放送を受信するためのＵＨＦアンテナ４１と、ＵＨＦアンテナ４１を平行に支持する支持台４２と、支持台４２の下端部の側面に固定された脚部４３，４４と、それぞれ脚部４３，４４の先端部に設けられ、ＶＨＦ放送を受信するためのロッドアンテナ４５，４６とを備える。ロッドアンテナ４５，４６の基端部は、それぞれ脚部４３，４４の先端部に回動自在に保持されている。ロッドアンテナ４５，４６の各々は、太さの異なる複数のアンテナ片で構成され、伸縮可能に形成されている。
【００４６】
この比較例２では、ロッドアンテナ４５，４６の各々を完全に伸ばして水平面から３０度の傾きで設置すると、ロッドアンテナ４５，４６の先端間が１４００ｍｍとなり、室内に設置するにはかなり大型になる。また、ロッドアンテナ４５，４６の基端部に常に荷重が掛かり、ロッドアンテナ４５，４６の重心が高くなり、バランスが悪い。また、デザイン的にも古い印象を与える。
【００４７】
これに対して、実施の形態１では、ＶＨＦアンテナ３の幅および高さが２４０ｍｍであり、比較例２よりもかなり小さくなる。また、使用時はＶＨＦアンテナ３を垂直に立てて使用するので、バランスが良い。また、デザイン的にも新しい印象を与える。
【００４８】
図１８は、ロッドアンテナの利得の周波数特性を示す図であって、図８と対比される図である。また，図１９は、ロッドアンテナの指向性を示す図であって、図９と対比される図である。ロッドアンテナの長さは、１０５０ｍｍにセットした。図１８および図８から分かるように、ロッドアンテナの方が本願のＶＨＦアンテナ３よりも利得が低い。
【００４９】
[実施の形態２]
図２０は、この発明の実施の形態２による室内アンテナ装置の構成を示す断面図であり、図２１は、その組立分解図である。図２０および図２１において、この室内アンテナ装置では、円形のトレイ５０の底の中央部に形成された凹部５０ａ内に、図７に示したアンテナ制御回路２０が搭載された基板５１が収容されている。トレイ５０の底の外周部には、図６に示したアンテナ素子１１〜１４が形成されたプリント基板５２が載置され、トレイ５０の開口部は円形の蓋部材５３で閉蓋されている。
【００５０】
トレイ５０は、丸椅子状の支持台５４によって水平に支持されている。支持台５４の下端部の側面には脚部５５が設けられており、脚部５５の先端部にはＶＨＦアンテナ５６を水平または垂直に保持する保持部６０が設けられている。ＶＨＦアンテナ５６は、図４で示したＶＨＦアンテナ３および２つのコイル７と、それらを収容したリング状のプラスチックカバー５７とを含む。プラスチックカバー５７の内径は、トレイ５０の外径よりも若干大きく設定されている。プラスチックカバー５７の対向する２つの端面の各々には、円形のカム５８が設けられている。ＶＨＦアンテナ５６で受信した高周波信号は、２つのカム５８の中央部から引き出された２本の電線５９を介して基板５１に与えられる。
【００５１】
ＶＨＦアンテナ５６の２つのカム５８は、図２１に示すように、保持部６０の両側に開けられた２つの窓部６０ａから保持部６０内に挿入される。また、底板６１が複数のビス６２によって室内アンテナ装置の下端に取り付けられる。底板６１の端部の上面には、２つのカム５８を支持するための支持部材６３が設けられている。各カム５８は、図２０に示すように、保持部６０の天井部に設けられた凸部６０ｂと支持部材６３とにより、上下から挟持される。また、底板６１のうちの支持部材６３が設けられている端部は、ビス６２で固定されておらず、弾性を有する。このため、支持部材６３およびカム５８は、凸部６０ｂに付勢され、安定に保持される。
【００５２】
図２２は、カム５８の構成を示す図である。図２２において、カム５８は、円板の外周部のうちの９０度分を小径に加工し、さらに小径部５８ａの両端部に凸部６０ｂの先端を挿入するための浅い溝５８ｂ，５８ｃをそれぞれ形成したものである。ＶＨＦアンテナ５６を水平に倒している場合は凸部６０ｂの先端が溝５８ｂに挿入され、ＶＨＦアンテナ５６を垂直に立てた場合は凸部６０ｂの先端が溝５８ｃに挿入される。ＶＨＦアンテナ５６を水平状態から垂直状態に変えるときは、図２３に示すように、凸部６０ｂの先端が小径部５８ｂに当接している。このとき、底板６１の端部が下方に撓むので、ＶＨＦアンテナ５６をスムーズに動かすことができる。
【００５３】
なお、図２４に示すように、カム５８の外周部のうちの２７０度分を小径に加工し、その小径部５８ａの両端部に凸部６０ｂの先端を挿入するための浅い溝５８ｂ，５８ｃをそれぞれ形成してもよい。この場合は、ＶＨＦアンテナ５６を水平状態から垂直状態に変えるときは、ＶＨＦアンテナ５６を底板６１の下方を通して２７０度回転させる。
【００５４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５５】
【図１】この発明の実施の形態１による室内アンテナ装置の構成を示す側面図である。
【図２】図１に示した室内アンテナ装置の一部省略した正面図である。
【図３】図１に示したＶＨＦアンテナを水平に倒した状態を示す平面図である。
【図４】図１に示したＶＨＦアンテナの構成を示す図である。
【図５】図４に示したアンテナ片間にコイルを接続する方法を例示する断面図である。
【図６】図１に示したＵＨＦアンテナの構成を示す図である。
【図７】図１に示した室内アンテナ装置に内蔵されるアンテナ制御回路の構成を示す回路ブロック図である。
【図８】図４に示したＶＨＦアンテナの利得の周波数特性を示す図である。
【図９】図４に示したＶＨＦアンテナの指向性を示す図である。
【図１０】図６に示したＵＨＦアンテナ単体の利得の周波数特性を示す図である。
【図１１】ＶＨＦアンテナをセットした場合のＵＨＦアンテナの利得の周波数特性を示す図である。
【図１２】図６に示したＵＨＦアンテナ単体の指向性を示す図である。
【図１３】ＶＨＦアンテナをセットした場合のＵＨＦアンテナの指向性を示す図である。
【図１４】比較例１によるＶＨＦアンテナの利得の周波数特性を示す図である。
【図１５】図１４に示したＶＨＦアンテナをセットした場合のＵＨＦアンテナの利得の周波数特性を示す図である。
【図１６】図１４に示したＶＨＦアンテナをセットした場合のＵＨＦアンテナの指向性を示す図である。
【図１７】比較例２による室内アンテナ装置の構成を示す図である。
【図１８】図１７に示したロッドアンテナの利得の周波数特性を示す図である。
【図１９】図１７に示したロッドアンテナの指向性を示す図である。
【図２０】この発明の実施の形態２による室内アンテナ装置の構成を示す断面図である。
【図２１】図２０に示した室内アンテナ装置の組立断面図である。
【図２２】図２０に示したカムの構成を示す断面図である。
【図２３】図２０に示したカムの動作を示す断面図である。
【図２４】実施の形態２の変更例を示す断面図である。
【符号の説明】
【００５６】
１，４１  ＵＨＦアンテナ、２，４２，５４  支持台、３，５６  ＶＨＦアンテナ、４  保持機構、５  アンテナ片、６，７  コイル、８  半田、１１〜１４  アンテナ素子、１５  ダイポール素子、１６，１７  導線部、Ｐ１〜Ｐ４  給電点、Ｔ１〜Ｔ３  信号入力端子、Ｔ４  信号入出力端子、２１〜２３  アンプ、２４〜３０  スイッチ、３１，３２  終端抵抗素子、３３  位相反転器、３４  合成器、３５  高域フィルタ、３６  帯域フィルタ、３７  電源部、３８  検波部、３９  制御部、４３，４４，５５  脚部、４５，４６  ロッドアンテナ、５０  トレイ、５０ａ  凹部、５１  基板、５２  プリント基板、５３  蓋部材、５７  プラスチックカバー、５８  カム、５８ａ  小径部、５８ｂ，５８ｃ  溝、５９  電線、６０  保持部、６０ａ  窓部、６０ｂ  凸部、６１  底板、６２  ビス、６３  支持部材。
【図１】
2009089317.tif 000003
【図２】
2009089317.tif 000004
【図３】
2009089317.tif 000005
【図４】
2009089317.tif 000006
【図５】
2009089317.tif 000007
【図６】
2009089317.tif 000008
【図７】
2009089317.tif 000009
【図８】
2009089317.tif 000010
【図９】
2009089317.tif 000011
【図１０】
2009089317.tif 000012
【図１１】
2009089317.tif 000013
【図１２】
2009089317.tif 000014
【図１３】
2009089317.tif 000015
【図１４】
2009089317.tif 000016
【図１５】
2009089317.tif 000017
【図１６】
2009089317.tif 000018
【図１７】
2009089317.tif 000019
【図１８】
2009089317.tif 000020
【図１９】
2009089317.tif 000021
【図２０】
2009089317.tif 000022
【図２１】
2009089317.tif 000023
【図２２】
2009089317.tif 000024
【図２３】
2009089317.tif 000025
【図２４】
2009089317.tif 000026